(57)【要約】【課題】種々にデザインを変更することができるエプロンを提供する。【解決手段】前身頃部分２と胸当て部分３とによるエプロン１において、前身頃部分２と胸当て部分３とを面ファスナーにより接続することにより、胸当て部分３を前身頃部分２から取り外して、同種のエプロンの胸当て部分と付け替え可能とする。【選択図】図１
0003172845.tif 000002
【実用新案登録請求の範囲】
【請求項１】
前身頃部分と胸当て部分とによるエプロンにおいて、
前記前身頃部分と前記胸当て部分とを面ファスナーにより接続することにより、前記胸当て部分を前記前身頃部分から取り外して、同種のエプロンの胸当て部分と付け替え可能としたエプロン。
【請求項２】
前記面ファスナーは、１方の部材がループのみを配置したループ側の部材であり、他方の部材がフックのみを配置したフック側の部位材であり、
前記ループ側の部材が前記前身頃部分側に設けられた
請求項１に記載のエプロン。
【考案の詳細な説明】
【技術分野】
【０００１】
本考案は、家事等の際に使用するエプロンに関する。
【背景技術】
【０００２】
従来より、調理等の家事の際に使用するエプロンは、種々のデザインの品物が提供されている。このようなエプロンに関して、例えば実開昭５６−１５１３１４号公報には、胸当部分の裏表を入れ替えることができるエプロンが提案されている。
【先行技術文献】
【特許文献】
【０００３】
【特許文献１】実開昭５６−１５１３１４号公報
【考案の概要】
【考案が解決しようとする課題】
【０００４】
ところでこの種のエプロンに関して、その日の気分、雰囲気によって種々にデザインを変更することができれば、一段とユーザの使い勝手を向上することができると考えられる。
【０００５】
本考案は、以上の点を考慮してなされたもので、種々にデザインを変更することができるエプロンを提案することを目的とする。
【課題を解決するための手段】
【０００６】
本考案者らは、面ファスナーにより胸当ての部分を交換可能に保持するとの着想を見出し、本考案を完成するに至った。
【０００７】
（１）  前身頃部分と胸当て部分とによるエプロンにおいて、
前記前身頃部分と前記胸当て部分とを面ファスナーにより接続することにより、前記胸当て部分を前記前身頃部分から取り外して、同種のエプロンの胸当て部分と付け替え可能とする。
【０００８】
（１）によれば、簡易に胸当て部分を付け替えて、種々にデザインを変更することができる。
【０００９】
（２）  （１）において、前記面ファスナーは、１方の部材がループのみを配置したループ側の部材であり、他方の部材がフックのみを配置したフック側の部位材であり、
前記ループ側の部材が前記前身頃部分側に設けられる。
【００１０】
（２）によれば、不快感を有効に回避して使用感の劣化を回避することができる。
【考案の効果】
【００１１】
本考案によれば、種々にデザインを変更することができるエプロンを提案することができる。
【図面の簡単な説明】
【００１２】
【図１】本考案の第１実施形態のエプロンを示す図である。
【図２】図１のエプロンの胸当て部分の説明に供する図である。
【図３】図１のエプロンの前身頃部分の説明に供する図である。
【図４】図１のエプロンにおいて胸当て部分を交換した場合の説明に供する図である。
【図５】本考案の第２実施形態のエプロンを示す図である。
【考案を実施するための形態】
【００１３】
以下、本考案の実施形態について図面を参照しながら説明する。
【００１４】
〔第１実施形態〕
図１は、本考案の第１実施形態に係るエプロンの使用状態を示す図である。このエプロン１は、前身頃部分２と胸当て部分３とが設けられる。ここで前身頃部分２は、腰より下の部位にあてがわれ、上端側の隅部に紐２Ａ、２Ｂが設けられる。前身頃部分２は、この紐２Ａ、２Ｂにより装着される。胸当て部分３は、この前身頃部分２より上半身側の前面側にあてがわれる。胸当て部分３は、前身頃部分２との接続部３Ａが下側端部に設けられ、この接続部３Ａにより前身頃部分２と着脱可能に接続される。この実施形態では、この接続部３Ａに面ファスナーが適用される。
【００１５】
すなわち図２に前身頃部分２を取り外して示すように、胸当て部分３は、下端部に、一定幅による帯状の領域が設けられ、この帯状の領域、外側が接続部３Ａに設定される。胸当て部分３は、面ファスナーに係る１方の部材４Ａが帯形状により作製されて、この接続部３Ａに係る帯状の領域に、面ファスナーに係る部材４Ａが外側になるように縫い付けられる。これに対応して、図３により胸当て部分３を取り外した場合の装着状態を示すように、前身頃部分２には、この胸当て部分３の接続部３Ａに対応する帯状の領域、内側が接続部２Ｃに設定される。前身頃部分２は、この接続部２Ｃに面ファスナーに係る他方の部材４Ｂが帯形状により縫い付けられる。
【００１６】
これによりこの実施形態では、その日の気分等に応じて、図３に示すように、前身頃部分２より胸当て部分３を取り外して、前身頃部分２だけのエプロンとして利用することができ、その分、ユーザの使い勝手を向上することができる。
【００１７】
特に、このように接続部２Ｃ、３Ａにより胸当て部分３を取り外すことができることにより、図４に示すように、同様に接続部が設けられている前身頃部分と胸当て部分とによるエプロンとの間で、胸当て部分８を付け替えて楽しむことができる。これにより従来に比して格段的に種々にデザインを変更することができる。
【００１８】
ここでこの実施形態では、この前身頃部分２と胸当て部分３との接続に供する面ファスナーに、ループのみを配置したループ側の部材と、フックのみを配置したフック側の部材とによる面ファスナー（いわゆるマジックテープ（登録商標）である）が適用される。このような面ファスナーは、フック側の部材が硬く、衣服に使用した場合、不快感を生じさせ、これにより使用感を損なう欠点がある。しかしながらループ側の部材は、柔軟性を有しており、これにより衣服に使用して不快感を生じさせないようにして使用感を損なわないようにすることができる。これによりこの実施形態では、胸当て部分３側の部材４Ａには、フック側の部材が割り当てられ、前身頃部分２側の部材４Ｂには、ループ側の部材が割り当てられ、エプロン１を心地よく利用することができる。
【００１９】
以上の構成によれば、前身頃部分と胸当て部分とによるエプロンにおいて、前身頃部分と胸当て部分とを面ファスナーにより接続することにより、胸当て部分を前身頃部分から取り外して、同種のエプロンの胸当て部分と付け替え可能とすることにより、その日の気分、雰囲気によって種々にデザインを変更することができる。
【００２０】
また面ファスナーに係るループ側の部材を前身頃部分側に設けることにより、面ファスナーを設けたことによる使用感の劣化を防止することができる。
【００２１】
〔第２実施形態〕
図５は、図１との対比により本考案の第２実施形態に係るエプロンを示す図である。このエプロン１１において、前身頃部分１２は、少なくとも面ファスナーを設けた部位の上側端部に、折り返し１４が設けられる。ここで折り返しは、接続部の上部で折り返して、前身頃部分１２の前側に配置することができ（この図５により示す場合である）、また折り返しの向きを変更して前身頃部分１２の内側に配置できるように布材により作製されて配置され、内側に配置した場合には、前身頃部分１２側に配置した面ファスナーの部材をそっくり覆い隠すことができる幅により作製される。この実施形態のエプロン１１は、この折り返し１４に係る構成が異なる点を除いて、第１実施形態に係るエプロン１と同一に構成される。
【００２２】
この実施形態のエプロン１１においては、さらに折り返し１４を設けたことにより、前身頃部分１２のみで使用する場合に、面ファスナーの部材をこの折り返しにより覆い隠して保護することができ、これにより面ファスナーの汚損を有効に回避することができる。
【００２３】
以上、本考案の実施に好適な具体的な構成を詳述したが、本考案は、本考案の趣旨を逸脱しない範囲で、上述の実施形態の構成を種々に変更することができる。
【００２４】
すなわち例えば上述の第２実施形態では、折り返しを設けることにより前身頃部分のみで使用する場合に面ファスナーの汚損を防止する場合について述べたが、本考案はこれに代えて、前身頃部分側の面ファスナーに対応する面ファスナーを設けた当て布を設けるようにしてもよい。
【符号の説明】
【００２５】
１、１１  エプロン
２、１２  前身頃部分
２Ａ、２Ｂ  紐
２Ｃ、３Ａ  接続部
３、８  胸当て部分
４Ａ、４Ｂ  面ファスナーの部材
１４  折り返し
【図１】
0003172845.tif 000003
【図２】
0003172845.tif 000004
【図３】
0003172845.tif 000005
【図４】
0003172845.tif 000006
【図５】
0003172845.tif 000007